(57)【要約】【課題】複数の照明装置を個別に制御すると共にそれらの制御を一括して管理することが可能な照明システムを提供する。【解決手段】照明システムは、複数の照明装置と、前記複数の照明装置を無線通信により制御する照明制御装置とを備え、前記照明制御装置が、前記複数の照明装置のそれぞれの使用時間を管理する。【選択図】図１
2020167177.tif 000002
【特許請求の範囲】
【請求項１】
それぞれの識別を可能にする第１識別情報を持った複数の照明装置を、無線通信により制御する照明制御装置であって、
前記複数の照明装置それぞれには、それぞれの第１識別情報が変換されたコードが設けられており、
前記照明制御装置は、制御部と、表示部と、入力部と、コードリーダとを備え、
前記コードリーダは、前記照明装置に設けられたコードを読み込み、読み込んだコードに対応する第１識別情報を取得し、
前記制御部は、前記表示部に、取得された前記第１識別情報を、前記複数の照明装置の配置が示された配灯画像上における所望の照明装置の位置に、前記入力部からの操作によりドラッグできるよう表示させる
照明制御装置。
【発明の詳細な説明】
【技術分野】
【０００１】
本発明は、照明システムに関し、特に無線通信により照明装置を制御する技術に関する。
【背景技術】
【０００２】
従来の無線式照明システムでは、１つの照明装置を、これに対応する１つの照明制御装置を用いて無線通信により制御する技術が多く用いられている（例えば、特許文献１参照）。具体的には、照明制御装置は、送信部、入力部、及び第１制御部を有し、第１制御部は、入力部から入力される指令に基づいて、点灯信号、消灯信号、及び調光信号の少なくとも何れか１つの信号を含んだ制御信号を生成すると共に、その制御信号を、送信部を通じて照明装置へ送信する。照明装置は、受信部、ＬＥＤ（Light  Emitting  Diode）等の発光部、及び第２制御部を有し、照明制御装置の送信部から送信される制御信号を受信部が受信したとき、第２制御部は、受信部が受信した制御信号に応じた照明制御（点灯、消灯、調光等）を発光部に対して行う。
【先行技術文献】
【特許文献】
【０００３】
【特許文献１】特開２０１０−２３８５７２号公報
【発明の概要】
【発明が解決しようとする課題】
【０００４】
オフィス等の広い空間では、複数の照明装置が必要となる。複数の照明装置を無線通信により個別に制御しようとした場合、従来の無線式照明システムでは、照明装置の各々に対して１つの照明制御装置が必要となる。このため、照明装置の数が多くなると、全ての照明装置を個別に制御することは実質的に不可能となる。
【０００５】
例えば、１つの照明制御装置により、オフィス等の空間に設置されている全ての照明装置に対して同じ照明制御を行うことは可能である。しかし、この様な制御では、照明装置が配置されている位置や照明の時間帯によっては、照明装置の照度が適切でなく、電力が無駄に消費されることになる。
【０００６】
そこで本発明の目的は、複数の照明装置を個別に制御すると共にそれらの制御を一括して管理することが可能な照明システムを提供することである。
【課題を解決するための手段】
【０００７】
本発明に係る照明システムは、複数の照明装置と、前記複数の照明装置を無線通信により制御する照明制御装置とを備え、前記照明制御装置が、前記複数の照明装置のそれぞれの使用時間を管理する。
【発明の効果】
【０００８】
本発明に係る照明システムによれば、複数の照明装置を個別に制御すると共にそれらの制御を一括して管理することが出来る。
【０００９】
本発明の新規な特徴を添付の請求の範囲に記述するが、本発明は、構成及び内容の両方に関し、本発明の他の目的及び特徴と併せ、図面を参照した以下の詳細な説明により更によく理解されるであろう。
【図面の簡単な説明】
【００１０】
【図１】本発明の一実施形態に係るＬＥＤ照明システムの構成を概念的に示したブロック図である。
【図２】照明制御装置の構成を概念的に示したブロック図である。
【図３】ＬＥＤ照明装置の各々が持つ構成を概念的に示したブロック図である。
【図４】照明制御装置の第１制御部が実行する制御及びユーザが行う操作を示したフローチャートである。
【図５】配灯画像が表示されているＰＣモニタの平面図である。
【図６】エリア画像の作成操作の説明に用いられる、ＰＣモニタの平面図である。
【図７】作成されたエリア画像が表示されているＰＣモニタの平面図である。
【図８】エリア画像をリスト化する際に実行されるドラッグ操作の説明に用いられる、ＰＣモニタの平面図である。
【図９】象徴画像の配置操作を行うための画面が表示されているＰＣモニタの平面図である。
【図１０】象徴画像の配置操作の説明に用いられる、ＰＣモニタの平面図である。
【図１１】象徴画像の配置操作の説明に用いられる、ＰＣモニタの平面図である。
【図１２】配置された象徴画像が表示されているＰＣモニタの平面図である。
【図１３】ＬＥＤ照明装置（第１識別情報）とエリア画像とを関連付ける際に実行されるドラッグ操作の説明に用いられる、照明制御装置の平面図である。
【図１４】ＬＥＤ照明装置（第１識別情報）と象徴画像とを関連付ける際に実行されるドラッグ操作の説明に用いられる、照明制御装置の平面図である。
【図１５】ＬＥＤ照明システムの第１変形例について、そのＬＥＤ照明システムが備える照明制御装置の構成を概念的に示したブロック図である。
【図１６】ＬＥＤ照明システムの第２変形例について、そのＬＥＤ照明システムが備えるゲートウェイを概念的に示した斜視図である。
【図１７】ＬＥＤ照明システムの第２変形例について、照明制御装置の第１制御部が実行する制御及びユーザが行う操作を示したフローチャートである。
【図１８】タッチパネルに第２識別情報が表示されている照明制御装置の平面図である。
【図１９】ＬＥＤ照明システムを含むデマンド制御システムの構成を概念的に示したブロック図である。
【図２０】デマンド制御システムの第１変形例について、そのデマンド制御システムの構成を概念的に示したブロック図である。
【図２１】デマンド制御システムの第２変形例について、そのデマンド制御システムの構成を概念的に示したブロック図である。
【図２２】デマンド制御システムの第３変形例について、そのデマンド制御システムの構成を概念的に示したブロック図である。
【発明を実施するための形態】
【００１１】
先ず、本発明の実施形態を列記して説明する。
【００１２】
本発明の実施形態に係る照明制御装置は、無線通信により複数の照明装置を制御する装置であって、送信部と、制御部と、表示部と、入力部と、記憶部とを有する。送信部は、点灯信号、消灯信号、及び調光信号の少なくとも何れか１つの信号を含んだ制御信号を送信する。ここで、制御対象である複数の照明装置は、それぞれの識別を可能にする第１識別情報を持っている。
【００１３】
そして、制御部は、制御（i）〜（v）を実行する。制御（i）において、制御部は、少なくとも１つの照明装置と対応付けられることになる象徴画像を、表示部に表示させる。制御（ii）において、制御部は、第１識別情報を取得すると共に、取得した第１識別情報を表示部に表示させる。制御（iii）において、制御部は、表示部に表示された第１識別情報が、入力部からの操作により象徴画像と重なる位置にドラッグされたとき、ドラッグされた第１識別情報を、その第１識別情報が重ねられた象徴画像に関連付けて記憶部に記憶させ、これにより、その第１識別情報を持つ照明装置と象徴画像とが互いに対応付けられる。制御（iv）において、制御部は、象徴画像に関連付けて、その象徴画像に制御（iii）にて対応付けられた照明装置の制御に関する照明制御情報を、記憶部に記憶させる。制御（v）において、制御部は、象徴画像に関連付けられた第１識別情報及び照明制御情報に基づいて制御信号を生成すると共に、生成した制御信号を、送信部を通じて、象徴画像に対応付けられた照明装置に送信する。
【００１４】
上記照明制御装置によれば、ユーザによる入力部からの簡単な操作により、照明制御情報に対して、少なくとも１つの第１識別情報が象徴画像を介して関連付けられる。従って、複数の照明装置を、照明制御情報との所望の関連態様で制御することが可能になる。ここで、所望の関連態様には、照明装置の各々に照明制御情報が関連付けられた態様、照明装置のグループに照明制御情報が関連付けられた態様、及びこれらを組み合わせた態様が含まれる。この様に、上記照明制御装置によれば、複数の照明装置を個別に制御すると共に、それらの制御を１つの照明制御装置で一括して管理することが可能になる。又、上記照明制御装置においては、象徴画像の変更（例えば、同じ照明制御を行いたいエリアの変更）等、照明制御に関する設定の変更が容易である。更には、複数の照明装置が無線通信により制御されるため、有線式のシステムで構築されていた回路（配線）が不要となる。
【００１５】
好ましくは、複数の照明装置の配置が示された配灯画像上において、象徴画像は、その象徴画像と重なる位置に配された少なくとも１つの照明装置に対応していることを象徴する画像であり、制御（i）の前に、制御部は、配灯画像を表示部に表示させる制御（vi）を更に実行する。そして、制御（i）において、制御部は、表示部に、象徴画像を配灯画像に重ねて表示させる。
【００１６】
好ましくは、制御（ii）において、制御部は、取得した第１識別情報に対応させて、その第１識別情報を持った照明装置を点灯させるための点灯信号を発生させる第１スイッチを、表示部に表示させる。
【００１７】
この様な構成によれば、ユーザは、入力部からの第１スイッチの操作により、照明装置を点灯させて、操作した第１スイッチに対応する照明装置の実際の位置を確認することが可能になる。従って、ユーザは、操作した第１スイッチに対応させて表示されている第１識別情報を、確認した実際の位置に基づいて、関連付けんとする象徴画像にドラッグすることが出来る。この様なユーザのドラッグ操作が実行されたとき、制御部は制御（iii）を実行する。よって、第１識別情報が、象徴画像に対して正確に関連付けられる。
【００１８】
上記照明制御装置において、象徴画像は、同じ照明制御が実行される照明装置のエリアを表すエリア画像であってもよい。この場合、制御（iii）において、制御部は、エリア画像で表されるエリア内の全ての照明装置の第１識別情報を、エリア画像に関連付けて記憶部に記憶させる。又、制御（v）において、制御部は、エリア画像で表されるエリア内の全ての照明装置に対して、送信部を通じて制御信号を送信する。
【００１９】
この様な構成によれば、ユーザによる入力部からの簡単な操作により、所望のエリア内で全ての照明装置に対して同じ照明制御を行うための設定が遂行される。
【００２０】
上記照明制御装置の好ましい具体的構成において、照明制御装置は、無線通信中の照明装置から送信される信号であって第１識別情報を含んだ情報信号を受信する、受信部を更に有する。そして、制御（ii）において、制御部は、受信部に情報信号を受信させることにより、情報信号に含まれる第１識別情報を取得し、取得した第１識別情報を表示部に表示させる。
【００２１】
上記照明制御装置の好ましい他の具体的構成において、照明制御装置は、ＱＲコード（登録商標）を読み込む読込み部を更に有し、照明装置の各々には、第１識別情報に対応するＱＲコード（登録商標）が設けられ、記憶部には、第１識別情報とＱＲコード（登録商標）との対応関係を表すテーブルが記憶されている。そして、制御（ii）において、制御部は、テーブルに基づいて、読込み部により読み込まれたＱＲコード（登録商標）に対応する第１識別情報を取得し、取得した第１識別情報を表示部に表示させる。
【００２２】
この様な構成によれば、この構成を持った照明制御装置と複数の照明装置とを備えた照明システムが、例えば隣接する複数の店舗の各々に採用された場合でも、照明制御装置の各々の表示部には、この照明制御装置と共に同じ照明システムを構成している照明装置が持つ第１識別情報のみが表示されることになる。よって、ユーザであるシステム管理者が、自身が所有する照明システムとは別の照明システムから第１識別情報を取得し、その第１識別情報を象徴画像に誤って関連付けてしまうといった不具合が、上記具体的構成によれば防止される。
【００２３】
本発明の実施形態に係る照明システムは、複数の照明装置と、これらの照明装置を無線通信により制御する上記照明制御装置とを備える。
【００２４】
上記照明システムの好ましい具体的構成において、照明システムは、複数の通信中継器を更に備え、これらの通信中継器は、照明装置及び照明制御装置との間で無線通信を行うと共に、互いに有線接続されている。そして、照明制御装置は、少なくとも１つの通信中継器を介して照明装置との通信を行う。この様な構成において、通信中継器は、それぞれの識別を可能にする第２識別情報を持ち、且つ、照明制御装置の制御部は、制御（ii）の前に制御（vii）を更に実行することが好ましい。具体的には、制御（vii）において、制御部は、照明制御装置との無線通信が可能な範囲に存在する通信中継器の第２識別情報を取得すると共に、取得した第２識別情報を表示部に表示させる。そして、制御（ii）では、制御部は、表示部に表示された第２識別情報のうち、入力部からの操作により選択された第２識別情報に対応する通信中継器を通じて、この通信中継器との直接的な無線通信が可能な照明装置が持つ第１識別情報を取得すると共に、取得した第１識別情報を表示部に表示させる。
【００２５】
この様な構成によれば、選択された通信中継器との直接的な無線通信が可能な範囲に存在する照明装置の第１識別情報のみが、表示部に表示される。よって、ドラッグ操作による第１識別情報と象徴画像との関連付けが容易になる。
【００２６】
より好ましい具体的構成において、通信中継器の各々は、外部に光を放つ発光部を有する。そして、制御（vii）において、制御部は、取得した第２識別情報に対応させて、その第２識別情報を持った通信中継器の発光部を点灯させるための点灯信号を発生させる第２スイッチを、表示部に表示させる。
【００２７】
この様な構成によれば、ユーザは、入力部からの第２スイッチの操作により、通信中継器の発光部を点灯させて通信中継器の実際の位置を確認することが出来る。従って、ユーザは、通信中継器の選定と、第１識別情報と象徴画像との関連付けとを、選定する通信中継器を変更しながら繰り返し実行することにより、設置されている全ての照明装置についての第１識別情報と象徴画像との関連付けを、容易に行うことが出来る。
【００２８】
上記照明システムの好ましい他の具体的構成において、照明システムは、複数の照明装置が配置されている空間に設けられた照度センサと、照度センサと一体的又は別個に設けられた人感センサとを更に備える。そして、制御（v）において、制御部は、象徴画像に関連付けられた第１識別情報及び照明制御情報に加えて、照度センサ及び人感センサから出力される検出信号にも基づいて、制御信号を生成する。
【００２９】
次に、本発明の実施形態の詳細について説明する。
【００３０】
［１］ＬＥＤ照明システムの構成
図１は、本発明の一実施形態に係るＬＥＤ照明システムの構成を概念的に示したブロック図である。図１に示す様に、ＬＥＤ照明システムは、複数のＬＥＤ照明装置２と、これらのＬＥＤ照明装置２を無線通信により制御する照明制御装置１と、有線式のネットワーク３と、センサ４とを備えている。
【００３１】
ネットワーク３は、ハブ（ＨＵＢ）を通じて互いに有線接続された複数のゲートウェイＧＷを有している。ゲートウェイＧＷの各々は、無線通信により、ＬＥＤ照明装置２及び照明制御装置１との間で情報を伝達し合う。そして、照明制御装置１は、ネットワーク３内の少なくとも１つのゲートウェイＧＷを介して、ＬＥＤ照明装置２との通信を行う。ゲートウェイＧＷは、通信プロトコルの変換を行う通信中継器と、照明制御装置１から出力される制御信号に応じてＬＥＤ照明装置２の照明制御を行う制御器とを有している。
【００３２】
本実施形態のＬＥＤ照明システムによれば、照明制御装置１と複数のＬＥＤ照明装置２との無線通信が、ネットワーク３（ゲートウェイＧＷ）で中継される。従って、オフィス等の広い空間に複数のＬＥＤ照明装置２が設置されている場合でも、照明制御装置１とＬＥＤ照明装置２との間での無線通信を確実に行うことが可能となる。
【００３３】
更に、本実施形態のＬＥＤ照明システムにおいては、複数のゲートウェイＧＷが有線接続されている。従って、複数の部屋や複数の階に亘って複数のＬＥＤ照明装置２が設置されている場合でも、各部屋又は各階にゲートウェイＧＷが設置されることにより、全てのＬＥＤ照明装置２の照明制御を、１つの照明制御装置１で一括して管理することが可能になる。
【００３４】
センサ４は、照度センサと人感センサとが一体的に形成されたものであり、複数のＬＥＤ照明装置２が配置されている空間に設けられている。センサ４は、無線通信により、ゲートウェイＧＷとの間で情報を伝達し合う。そして、照明制御装置１は、ネットワーク３を通じて、センサ４から出力された検出信号を取得する。尚、ＬＥＤ照明装置２が配置されている空間には、照明センサと人感センサとが別個に設けられていてもよい。
【００３５】
図２は、照明制御装置１の構成を概念的に示したブロック図である。図２に示す様に、照明制御装置１は、第１送信部１１と、第１受信部１２と、第１制御部１３と、表示部１４と、入力部１５と、記憶部１６とを有している。本実施形態において、表示部１４及び入力部１５は、これらが一体的に形成されたタッチパネル１８である。
【００３６】
第１送信部１１は、第１制御部１３によって生成された信号を、ネットワーク３を通じてＬＥＤ照明装置２やセンサ４へ送信する。第１制御部１３が生成する信号には、点灯信号、消灯信号、及び調光信号の少なくとも何れか１つの信号を持った制御信号が含まれる。第１受信部１２は、ＬＥＤ照明装置２やセンサ４から出力された信号を、ネットワーク３を通じて受信する。尚、第１制御部１３が実行する制御の詳細については、後述する。
【００３７】
図３は、ＬＥＤ照明装置２の各々が持つ構成を概念的に示したブロック図である。図３に示す様に、ＬＥＤ照明装置２は、第２送信部２１と、第２受信部２２と、第２制御部２３と、ＬＥＤ２４とを有している。又、ＬＥＤ照明装置２は、他のＬＥＤ照明装置２との識別を可能にする第１識別情報ＩＬＥＤを有している。
【００３８】
第２送信部２１は、第２制御部２３によって生成された信号を、ネットワーク３を通じて照明制御装置１へ送信する。第２制御部２３が生成する信号には、第１識別情報ＩＬＥＤを持った情報信号が含まれる。本実施形態において、第２送信部２１及び第２受信部２２は、これらが一体的に形成されたワイヤレスモジュールであり、第１識別情報ＩＬＥＤは、そのワイヤレスモジュールを、他のＬＥＤ照明装置２に設けられたワイヤレスモジュールと識別するためのものである。第２送信部２１からの信号の送信は、例えば、照明制御装置１からの指令に応じて実行される。
【００３９】
第２受信部２２は、照明制御装置１から出力された制御信号、又はこの制御信号に応じてゲートウェイＧＷの制御器から出力される制御信号を、ネットワーク３を通じて受信する。第２制御部２３は、第２受信部２２にて受信される制御信号に基づいて、ＬＥＤ２４の照明制御（点灯、消灯、調光等）を行う。
【００４０】
［２］ＬＥＤ照明システムの制御
図４は、照明制御装置１の第１制御部１３が実行する制御及びユーザが行う操作を示したフローチャートである。先ず、ステップＳ２０において、ユーザが、パーソナルコンピュータ（以下、「ＰＣ」と称す。）を用いて事前準備を行う。図５〜１２は、この事前準備に関連する画面が表示されたＰＣモニタ６の平面図である。
【００４１】
ステップＳ２０では、ユーザは先ず、複数のＬＥＤ照明装置２の配置が示された配灯画像ＰをＰＣのハードディスクに読み込み、読み込んだ配灯画像ＰをＰＣモニタ６に表示する（図５参照）。図５では、ＬＥＤ照明装置２の配置が複数の丸印によって示されている。尚、配灯画像Ｐには、内装や設備等に関する画像が含まれていてもよい。又、配灯画像Ｐは、透視図法により作成された画像であってもよい。更に、ユーザは、配灯画像Ｐを生成するために必要な、複数のＬＥＤ照明装置２の配置に関する配置情報を、ＰＣのハードディスクに読み込んでもよい。この場合、ユーザは、ＰＣに、ハードディスクから配置情報を読み出させると共に、その配置情報に基づいて配灯画像Ｐを生成させる。
【００４２】
配灯画像Ｐが表示された画面において、ユーザは、ＰＣモニタ６に表示された配灯画像Ｐ上に、マウス等の操作により象徴画像を作成又は配置する（ステップＳ２０）。ここで、象徴画像は、少なくとも１つの第１識別情報ＩＬＥＤが関連付けられることにより、その第１識別情報ＩＬＥＤを持つＬＥＤ照明装置２と対応付けられることになる画像である。本実施形態において、象徴画像は、ＰＣモニタ６や照明制御装置１において配灯画像Ｐに重ねて表示されることにより、配灯画像Ｐ上において象徴画像と重なる位置に配された少なくとも１つのＬＥＤ照明装置２に対応していることを、ユーザに認識させることが出来る。即ち、配灯画像Ｐ上において、象徴画像は、その象徴画像と重なる位置に配された少なくとも１つのＬＥＤ照明装置２に対応していることを象徴する画像である。尚、象徴画像は、少なくとも１つの第１識別情報ＩＬＥＤが関連付けられる箱の様なものとして、配灯画像Ｐを表示させずに作成されてもよい。
【００４３】
象徴画像には、配灯画像Ｐ上において、同じ照明制御が実行されるＬＥＤ照明装置２のエリアを表し、そのエリア内の複数のＬＥＤ照明装置２と対応付けられることになる画像（図７参照）が含まれる。以下では、この画像を「エリア画像」と称す。更に、象徴画像には、１つのＬＥＤ照明装置２とだけ対応付けられることになる画像（図１２参照）が含まれる。以下では、特に断らない限り、この画像に対して「象徴画像」という用語を用いる。
【００４４】
図５に示す様に、配灯画像Ｐが表示された画面には、配灯画像Ｐに加えて、ボタンＢ１〜Ｂ７及びＥＧ１〜ＥＧ１０が表示される。ボタンＢ１は、ユーザが象徴画像の配置操作を行うための配置操作画面（図９参照）をＰＣモニタ６に表示させるボタンである。ボタンＢ２は、ユーザがエリア画像の作成操作を行うための作成操作画面（図５参照）をＰＣモニタ６に表示させるボタンである。ボタンＢ６は、ＰＣモニタ６に表示されている画面に移る前の画面を再びＰＣモニタ６に表示させるボタンである。ボタンＢ７は、象徴画像の配置操作やエリア画像の作成操作を完了させるためのボタンである。
【００４５】
作成操作画面（図５参照）において、ボタンＢ３〜Ｂ５は、ユーザがエリア画像を作成する際に選択されるボタンである。ここで、ボタンＢ３は、長方形のエリア画像を作成する際に選択される（図６参照）。具体的には、ユーザは、マウス等の操作により、ボタンＢ３を選択した後、ＰＣモニタ６に表示された画面において互いに異なる２つの位置を指定する。これにより、その２つの位置を結んだ直線を対角線とする長方形のエリア画像が作成される。ボタンＢ４は、長方形に限定されない様々な形状を持ったエリア画像について、そのエリア画像の外縁のうち直線部分を作成する際に選択される。具体的には、ユーザは、マウス等の操作により、ボタンＢ４を選択した後、ＰＣモニタ６に表示された画面において複数の位置を指定する。これにより、その複数の位置が指定順に結ばれた線画像が作成される。ボタンＢ５は、エリア画像の外縁のうち円弧状の曲線部分を作成する際に選択される。具体的には、ユーザは、マウス等の操作により、ボタンＢ５を選択した後、ＰＣモニタ６に表示された画面において１つの位置を指定する。次に、別の位置を指定した後、その位置を、先に指定した位置を中心としてスライドさせる。これにより、先に指定された位置を中心とする円弧状の曲線画像が作成される。
【００４６】
ユーザは、作成操作画面において上述した作成操作を行うことにより、配灯画像Ｐ上にエリア画像を作成することが出来る。図７には、配灯画像Ｐ上に４つのエリア画像ＰＡＲＥＡ（１）〜ＰＡＲＥＡ（４）が作成され、配灯画像Ｐに示された全てのＬＥＤ照明装置２に、４つのエリア画像ＰＡＲＥＡ（１）〜ＰＡＲＥＡ（４）の何れかが対応している場合が示されている。尚、配灯画像Ｐに示されたＬＥＤ照明装置２のうち、照明制御装置１により制御せんとする幾つかのＬＥＤ照明装置２にのみ、エリア画像を対応させてもよい。或いは、照明制御装置１により制御せんとする幾つかのＬＥＤ照明装置２に、エリア画像を対応させ、残りのＬＥＤ照明装置２には、後述する配置操作により象徴画像を対応させてもよい。
【００４７】
エリア画像の作成操作は、上述した操作に限られるものではない。例えば、ＰＣモニタ６に様々な形状を持った図形が表示され、ユーザが、マウス等の操作により、ＰＣモニタ６に表示されている複数の図形から幾つかの図形を選択すると共に、選択した図形を組み合わせて１つのエリア画像を作成してもよい。又、エリア画像の作成操作は、ＰＣに限らず、照明制御装置１にて行われてもよい。
【００４８】
図５に示された画面において、ユーザによるマウス等の操作によりボタンＢ１が選択された場合、象徴画像の配置操作を行うための画面が表示される（図９参照）。このとき、ＰＣモニタ６には、ボタンＢ３〜Ｂ５に代えてボタンＢ１１〜Ｂ１４が表示される。これにより、図９に示す様に、ＰＣモニタ６には、配灯画像Ｐと、ボタンＢ１、Ｂ２、Ｂ１１〜Ｂ１４、Ｂ６、及びＢ７とが表示される。
【００４９】
配置操作画面（図９参照）において、ボタンＢ１１〜Ｂ１３は、ユーザが象徴画像を配置する際に選択されるボタンである。又、ボタンＢ１４は、配置された象徴画像をユーザが消去する際に選択されるボタンである。
【００５０】
ボタンＢ１１は、象徴画像を１つだけ配置する際に選択される。具体的には、ユーザは、マウス等の操作により、ボタンＢ１１を選択した後、ＰＣモニタ６に表示された画面において１つの位置を指定する。位置の指定が完了すると、ＰＣモニタ６には、象徴画像の種類を選択するための選択画面が表示される（図１０参照）。そして、ユーザは、マウス等の操作により、選択画面において象徴画像の種類を選択する。これにより、指定された位置に、選択された種類の象徴画像が配置される。
【００５１】
ボタンＢ１２は、同じ種類の複数の象徴画像を一列に配置する際に選択される。具体的には、ユーザは、マウス等の操作により、ボタンＢ１２を選択した後、ＰＣモニタ６に表示された画面において２つの位置を指定する。２つの位置の指定が完了すると、ＰＣモニタ６には、象徴画像の種類を選択するための選択画面が表示される（図１０参照）。そして、ユーザは、マウス等の操作により、選択画面において象徴画像の種類を選択する。象徴画像の種類の選択が完了すると、ＰＣモニタ６には、象徴画像の配置数を入力するための入力画面が表示される（図１１参照）。そして、ユーザは、マウスやキーボード等の操作により、入力画面において数値を入力する。これにより、指定された２つの位置を結んだ直線上に、入力された数の象徴画像が等間隔で配置される。
【００５２】
ボタンＢ１３は、同じ種類の複数の象徴画像をマトリックス状に配置する際に選択される。具体的には、ユーザによるマウス等の操作によりボタンＢ１３が選択されると、ＰＣモニタ６には、ボタンＢ１１〜Ｂ１４に代えてボタンＢ３〜Ｂ５が表示される（図１０参照）。そして、ユーザは、マウス等の操作により、ボタンＢ３を選択した後、図１０に示す様に、ＰＣモニタ６に表示された画面において互いに異なる２つの位置を指定する。これにより、その２つの位置を結んだ直線を対角線とする長方形の領域Ｒが指定される。２つの位置の指定が完了すると、ＰＣモニタ６には、象徴画像の種類を選択するための選択画面が表示される（図１０参照）。そして、ユーザは、マウス等の操作により、選択画面において象徴画像の種類を選択する。象徴画像の種類の選択が完了すると、ＰＣモニタ６には、象徴画像の配置数（行数及び列数）を入力するための入力画面が表示される（図１１参照）。そして、ユーザは、マウスやキーボード等の操作により、入力画面において数値を入力する。これにより、指定された長方形の領域上に、入力された数の象徴画像がマトリックス状に配置される（図１２参照）。
【００５３】
ユーザは、配置操作画面において上述した配置操作を行うことにより、配灯画像Ｐ上に象徴画像を配置することが出来る。図１２には、配灯画像Ｐ上に同じ種類の９つの象徴画像ＰＳＭＢＬを配置した場合が示されている。この様な配置操作を繰り返し実行することにより、配灯画像Ｐに示された全てのＬＥＤ照明装置２に、象徴画像を対応させることが出来る。尚、配灯画像Ｐに示されたＬＥＤ照明装置２のうち、照明制御装置１により制御せんとする幾つかのＬＥＤ照明装置２にのみ、象徴画像を対応させてもよい。或いは、照明制御装置１により制御せんとする幾つかのＬＥＤ照明装置２に、象徴画像を対応させ、残りのＬＥＤ照明装置２には、上述した作成操作によりエリア画像を対応させてもよい。更には、象徴画像は、エリア画像によって表されるエリア内に配置されてもよい。又、象徴画像の配置操作は、ＰＣに限らず、照明制御装置１にて行われてもよい。
【００５４】
ステップＳ２０において、ユーザによりエリア画像ＰＡＲＥＡ（１）〜ＰＡＲＥＡ（４）が作成された場合、作成されたエリア画像ＰＡＲＥＡ（１）〜ＰＡＲＥＡ（４）はＰＣのハードディスクに記憶される。このとき、エリア画像ＰＡＲＥＡ（１）〜ＰＡＲＥＡ（４）は、各々がボタンＥＧ１〜ＥＧ１０の何れかと１対１対応で関連付けられてハードディスクに記憶されることにより、リスト化されてもよい。エリア画像ＰＡＲＥＡ（１）〜ＰＡＲＥＡ（４）とボタンＥＧ１〜ＥＧ１０との関連付けは、例えば、これらがＰＣモニタ６に表示されている画面において、マウス等を用いたユーザによるドラッグ操作により行われる（図８参照）。
【００５５】
又、ステップＳ２０において、ユーザにより象徴画像ＰＳＭＢＬが配置された場合、配置された象徴画像ＰＳＭＢＬはＰＣのハードディスクに記憶される。
【００５６】
事前準備が完了すると、ステップＳ２１において、ユーザは、ＰＣのハードディスクに記憶されている、配灯画像Ｐ、エリア画像ＰＡＲＥＡ（１）〜ＰＡＲＥＡ（４）、及び象徴画像ＰＳＭＢＬを、例えばネットワーク３を介して、照明制御装置１に転送する。
【００５７】
これにより、ステップＳ１１において、照明制御装置１の第１制御部１３は、第１受信部１２を通じて、配灯画像Ｐ、エリア画像ＰＡＲＥＡ（１）〜ＰＡＲＥＡ（４）、及び象徴画像ＰＳＭＢＬを読み込むと共に、これらの画像を記憶部１６に記憶させる。
【００５８】
次に、ステップＳ１２において、第１制御部１３は、記憶部１６から配灯画像Ｐを読み出すと共に、読み出した配灯画像Ｐをタッチパネル１８に表示させる。又、第１制御部１３は、記憶部１６からエリア画像ＰＡＲＥＡ（１）〜ＰＡＲＥＡ（４）及び象徴画像ＰＳＭＢＬの少なくとも何れか一方を読み出すと共に、読み出した画像を配灯画像Ｐに重ねてタッチパネル１８に表示させる。図１３は、エリア画像及び象徴画像のうち、エリア画像ＰＡＲＥＡ（１）〜ＰＡＲＥＡ（４）のみがタッチパネル１８に表示されている照明制御装置１の平面図である。又、図１４は、エリア画像ＰＡＲＥＡ（１）〜ＰＡＲＥＡ（４）及び象徴画像ＰＳＭＢＬの何れもがタッチパネル１８に表示されている照明制御装置１の平面図である。尚、ステップＳ１２では、第１制御部１３は、タッチパネル１８に、配灯画像Ｐは表示させずに、エリア画像ＰＡＲＥＡ（１）〜ＰＡＲＥＡ（４）及び象徴画像ＰＳＭＢＬの少なくとも何れか一方のみを表示させてもよい。又、象徴画像が、少なくとも１つの第１識別情報ＩＬＥＤが関連付けられる箱の様なものである場合、その象徴画像のみがタッチパネル１８に表示されてもよい。
【００５９】
次に、ステップＳ１３において、第１制御部１３は、第１識別情報ＩＬＥＤを含んだ情報信号を第１受信部１２に受信させることにより、ネットワーク３を通じて、複数のＬＥＤ照明装置２から第１識別情報ＩＬＥＤを取得する。そして、第１制御部１３は、取得した第１識別情報ＩＬＥＤをタッチパネル１８に表示させる（図１３及び図１４参照）。このとき、第１制御部１３は、取得した第１識別情報ＩＬＥＤの各々について、その第１識別情報ＩＬＥＤを持ったＬＥＤ照明装置２を点灯させるための点灯信号を発生させる第１スイッチＳ１を生成する。そして、第１制御部１３は、生成した第１スイッチＳ１を、第１識別情報ＩＬＥＤに対応させてタッチパネル１８に表示させる。本実施形態では、第１スイッチＳ１は、第１識別情報ＩＬＥＤに重ねて表示されている。尚、第１スイッチＳ１は、点灯信号及び消灯信号を選択的に発生させるものであってもよい。又、第１スイッチＳ１は、記憶部１６に記憶されていてもよく、第１制御部１３は、取得した第１識別情報ＩＬＥＤの各々に対応する第１スイッチＳ１を記憶部１６から読み出すと共に、読み出した第１スイッチＳ１をタッチパネル１８に表示させてもよい。
【００６０】
次に、ユーザは、ＬＥＤ照明装置２と、タッチパネル１８に表示されたエリア画像ＰＡＲＥＡ（１）〜ＰＡＲＥＡ（４）又は象徴画像ＰＳＭＢＬとを互いに関連付ける（ステップＳ２２）。具体的には、第１識別情報ＩＬＥＤ及び第１スイッチＳ１が表示された画面において、ユーザは、タッチパネル１８上で第１スイッチＳ１を操作することにより、ＬＥＤ照明装置２を点灯させる。この様にして、ユーザは、操作した第１スイッチＳ１に対応するＬＥＤ照明装置２の実際の位置を確認する。その後、ユーザは、操作した第１スイッチＳ１に重なって表示されている第１識別情報ＩＬＥＤを、確認した実際の位置に基づいて、配灯画像Ｐ上の対応する位置に表示されているエリア画像ＰＡＲＥＡ（１）〜ＰＡＲＥＡ（４）又は象徴画像ＰＳＭＢＬと重なる位置にドラッグする。
【００６１】
上述したユーザのドラッグ操作が実行されたとき、ステップＳ１４において、第１制御部１３は、ドラッグされた第１識別情報ＩＬＥＤを、その第１識別情報ＩＬＥＤが重ねられたエリア画像又は象徴画像に関連付けて記憶部１６に記憶させる。図１３に示す様に、第１識別情報ＩＬＥＤがエリア画像ＰＡＲＥＡ（１）に関連付けられる場合、ユーザのドラッグ操作とステップＳ１４での第１制御部１３の制御とにより、エリア画像ＰＡＲＥＡ（１）で表されるエリア内の全てのＬＥＤ照明装置２の第１識別情報ＩＬＥＤが、エリア画像ＰＡＲＥＡ（１）に関連付けて記憶部１６に記憶される。
【００６２】
尚、図１４に示す様に、エリア画像ＰＡＲＥＡ（１）によって表されるエリア内に象徴画像ＰＳＭＢＬが配置されている場合において、第１識別情報ＩＬＥＤが、象徴画像ＰＳＭＢＬと重なる位置にドラッグされたとき、第１制御部１３は、ドラッグされた第１識別情報ＩＬＥＤを、象徴画像ＰＳＭＢＬにのみ関連付けて記憶部１６に記憶させてもよいし、エリア画像ＰＡＲＥＡ（１）及び象徴画像ＰＳＭＢＬの何れとも関連付けて記憶部１６に記憶させてもよい。
【００６３】
この様なＬＥＤ照明装置２の位置確認に基づくユーザのドラッグ操作（ステップＳ２２）と、第１制御部１３の制御（ステップＳ１４）とによれば、第１識別情報ＩＬＥＤが、エリア画像ＰＡＲＥＡ（１）〜ＰＡＲＥＡ（４）又は象徴画像ＰＳＭＢＬに対して正確に関連付けられる。
【００６４】
次に、ステップＳ１５において、第１制御部１３は、エリア画像に関連付けて、そのエリア画像に対応する複数のＬＥＤ照明装置２の制御に関する照明制御情報を、記憶部１６に記憶させる。又、第１制御部１３は、象徴画像に関連付けて、その象徴画像に対応する１つのＬＥＤ照明装置２の制御に関する照明制御情報を、記憶部１６に記憶させる。尚、照明制御情報は、ユーザによるタッチパネル１８の操作により入力される（ステップＳ２３）。又、照明制御情報には、照度やタイムスケジュール等の情報が含まれる。
【００６５】
ステップＳ１１〜Ｓ１５の第１制御部１３の制御、及びステップＳ２１〜Ｓ２３のユーザの操作によれば、タッチパネル１８の簡単な操作により、所望のエリア内で全てのＬＥＤ照明装置２に対して同じ照明制御を行うための設定、並びにＬＥＤ照明装置２に対して個別に照明制御を行うための設定が遂行される。
【００６６】
設定の完了後、ステップＳ１６において、第１制御部１３は、エリア画像に関連付けられた第１識別情報ＩＬＥＤ及び照明制御情報に基づいて、制御信号を生成する。そして、第１制御部１３は、生成した制御信号を、第１送信部１１を通じて、エリア画像で表されるエリア内の全てのＬＥＤ照明装置２に送信する。これにより、所望のエリア内で、全てのＬＥＤ照明装置２に対して同じ照明制御が実行される。
【００６７】
又、第１制御部１３は、象徴画像に関連付けられた第１識別情報ＩＬＥＤ及び照明制御情報に基づいて、制御信号を生成する。そして、第１制御部１３は、生成した制御信号を、第１送信部１１を通じて、象徴画像に対応するＬＥＤ照明装置２に送信する。これにより、ＬＥＤ照明装置２に対して個別に照明制御が実行される。
【００６８】
尚、ステップＳ１６では、第１制御部１３は、第１識別情報ＩＬＥＤ及び照明制御情報に加えて、センサ４から出力される検出信号にも基づいて、制御信号を生成してもよい。
【００６９】
本実施形態の照明制御装置１によれば、ユーザによるタッチパネル１８の簡単な操作により、照明制御情報に対して、少なくとも１つの第１識別情報ＩＬＥＤが、エリア画像ＰＡＲＥＡ（１）〜ＰＡＲＥＡ（４）又は象徴画像ＰＳＭＢＬを介して関連付けられる。従って、複数のＬＥＤ照明装置２を、照明制御情報との所望の関連態様で制御することが可能になる。ここで、所望の関連態様には、ＬＥＤ照明装置２の各々に照明制御情報が関連付けられた態様、ＬＥＤ照明装置２のグループに照明制御情報が関連付けられた態様、及びこれらを組み合わせた態様が含まれる。この様に、本実施形態の照明制御装置１によれば、複数のＬＥＤ照明装置２を個別に制御すると共に、それらの制御を１つの照明制御装置１で一括して管理することが可能になる。又、本実施形態の照明制御装置１においては、エリア画像や象徴画像の変更等、照明制御に関する設定の変更が容易である。更には、複数のＬＥＤ照明装置２が無線通信により制御されるため、有線式のシステムで構築されていた回路（配線）が不要となる。
【００７０】
尚、照明制御装置１によるＬＥＤ照明装置２の一括管理が可能であることを利用して、例えば、ＬＥＤ照明装置２のそれぞれの使用時間を、照明制御装置１に一括して管理させてもよい。一例として、ＬＥＤ照明装置２にそれぞれ設けられたタイマを、照明制御装置１に一括して管理させる。尚、タイマは、通常、ワイヤレスモジュールに設けられている。
【００７１】
蛍光灯などの照明装置の場合、点灯不能になることで、ユーザは、その照明装置の寿命を認識することが出来る。しかし、ＬＥＤ照明装置２は、半永久的な使用が可能であり、機能が徐々に低下するものである。このため、ユーザにとっては、その寿命（照度不足の状態）を認識することが困難である。
【００７２】
そこで、照明制御装置１によるＬＥＤ照明装置２の一括管理が可能であることを利用して、ＬＥＤ照明装置２が寿命（照度不足の状態）に達した場合、その寿命を、例えば照明制御装置１のタッチパネル１８に表示させてもよい。これにより、ユーザは、ＬＥＤ照明装置２の寿命を認識することが出来る。
【００７３】
［３］ＬＥＤ照明システムに関する変形例
ＬＥＤ照明システムに関する２つの変形例（第１変形例及び第２変形例）について説明する。
【００７４】
［３−１］第１変形例
ＬＥＤ照明システムの第１変形例では、上記実施形態の構成に加えて、ＬＥＤ照明装置２の各々に、第１識別情報ＩＬＥＤに対応するＱＲコード（登録商標）が設けられ、記憶部１６には、第１識別情報ＩＬＥＤとＱＲコード（登録商標）との対応関係を表すテーブルが記憶されている。又、図１５に示す様に、照明制御装置１は、ＱＲコード（登録商標）を読み込むＱＲコード（登録商標）リーダである読込み部１７を更に有している。
【００７５】
この様なＬＥＤ照明システムでは、上述したステップＳ１３において、第１制御部１３は、テーブルに基づいて、読込み部１７により読み込まれたＱＲコード（登録商標）に対応する第１識別情報ＩＬＥＤを取得する。そして、第１制御部１３は、取得した第１識別情報ＩＬＥＤをタッチパネル１８に表示させる。読込み部１７によるＱＲコード（登録商標）の読込みは、例えば、ＬＥＤ照明装置２を設置する段階で、その設置前にユーザにより実行される。
【００７６】
ＬＥＤ照明システムの第１変形例によれば、このＬＥＤ照明システムが、例えば隣接する複数の店舗の各々に採用された場合でも、照明制御装置１の各々のタッチパネル１８には、この照明制御装置１と共に同じＬＥＤ照明システムを構成しているＬＥＤ照明装置２が持つ第１識別情報ＩＬＥＤのみが表示されることになる。よって、ユーザであるシステム管理者が、自身が所有するＬＥＤ照明システムとは別のＬＥＤ照明システムから第１識別情報ＩＬＥＤを取得し、その第１識別情報ＩＬＥＤをエリア画像や象徴画像に誤って関連付けてしまうといった不具合が、ＬＥＤ照明システムの第１変形例によれば防止される。
【００７７】
［３−２］第２変形例
ＬＥＤ照明システムの第２変形例では、上記実施形態の構成に加えて、ゲートウェイＧＷが、それぞれの識別を可能にする第２識別情報ＩＧＷを持っている。又、図１６に示す様に、ゲートウェイＧＷの各々には、外部に光を放つ発光部５が設けられている。発光部５として、例えばＬＥＤが用いられる。
【００７８】
図１７は、ＬＥＤ照明システムの第２変形例について、照明制御装置１の第１制御部１３が実行する制御及びユーザが行う操作を示したフローチャートである。又、図１８は、タッチパネル１８に第２識別情報ＩＧＷが表示された照明制御装置１の平面図である。図１７に示す様に、第１制御部１３は、図４に示される制御に加えて、ステップＳ１３の制御の前にステップＳ１７の制御を実行する。ステップＳ１７では、第１制御部１３は、照明制御装置１との無線通信が可能な範囲に存在するゲートウェイＧＷの第２識別情報ＩＧＷを取得する。そして、第１制御部１３は、取得した第２識別情報ＩＧＷをタッチパネル１８に表示させる（図１８参照）。一例として、第２識別情報ＩＧＷは、対応するゲートウェイＧＷと照明制御装置１との間の距離が小さい順に、タッチパネル１８に表示される。
【００７９】
このとき、第１制御部１３は、取得した第２識別情報ＩＧＷの各々について、その第２識別情報ＩＧＷを持ったゲートウェイＧＷの発光部５を点灯させるための点灯信号を発生させる第２スイッチＳ２を生成する。そして、第１制御部１３は、生成した第２スイッチＳ２を、第２識別情報ＩＧＷに対応させてタッチパネル１８に表示させる。本実施形態では、第２スイッチＳ２は、第２識別情報ＩＧＷに重ねて表示されている。尚、第２スイッチＳ２は、点灯信号及び消灯信号を選択的に発生させるものであってもよい。又、第２スイッチＳ２は、記憶部１６に記憶されていてもよく、第１制御部１３は、取得した第２識別情報ＩＧＷの各々に対応する第２スイッチＳ２を記憶部１６から読み出すと共に、読み出した第２スイッチＳ２をタッチパネル１８に表示させてもよい。
【００８０】
次に、ユーザは、ゲートウェイＧＷを選定する（ステップＳ２４）。具体的には、第２識別情報ＩＧＷ及び第２スイッチＳ２が表示された画面において、ユーザは、タッチパネル１８上で第２スイッチＳ２を操作することにより、ゲートウェイＧＷの発光部５を点灯させる。この様にして、ユーザは、操作した第２スイッチＳ２に対応するゲートウェイＧＷの実際の位置を確認する。そして、ユーザは、照明制御装置１との無線通信が可能な範囲に存在するゲートウェイＧＷの中から、ゲートウェイＧＷを１つ選定する。
【００８１】
ゲートウェイＧＷが選定されると、ステップＳ１３において、第１制御部１３は、選定されたゲートウェイＧＷを通じて、このゲートウェイＧＷとの直接的な無線通信が可能なＬＥＤ照明装置２が持つ第１識別情報ＩＬＥＤを取得する。そして、第１制御部１３は、取得した第１識別情報ＩＬＥＤをタッチパネル１８に表示させる。以降、上記実施形態と同様の制御が実行される。
【００８２】
ＬＥＤ照明システムの第２変形例によれば、選択されたゲートウェイＧＷとの直接的な無線通信が可能な範囲に存在するＬＥＤ照明装置２の第１識別情報ＩＬＥＤのみが、タッチパネル１８に表示される。よって、ドラッグ操作による第１識別情報ＩＬＥＤとエリア画像又は象徴画像との関連付けが容易になる。
【００８３】
又、ユーザは、第２スイッチＳ２の操作により、ゲートウェイＧＷを点灯させてゲートウェイＧＷの実際の位置を確認することが出来る。従って、ユーザは、ゲートウェイＧＷの選定（ステップＳ２４）と、第１識別情報ＩＬＥＤとエリア画像又は象徴画像との関連付け（ステップＳ２２）とを、選定するゲートウェイＧＷを変更しながら繰り返し実行することにより、設置されている全てのＬＥＤ照明装置２についての第１識別情報ＩＬＥＤとエリア画像又は象徴画像との関連付けを、容易に行うことが出来る。
【００８４】
［４］ＬＥＤ照明システムに対するデマンド制御
次に、デマンド制御について説明する。ここで、デマンド制御とは、オフィスや店舗等で使用される総電力量を監視し、その総電力量が所定の閾値を超えない様に、負荷（照明装置や空調機など）で消費される電力量（以下、「電力消費量」と称す。）を制御することである。そして、本実施形態では、デマンド制御を実現するためのデマンド制御システムが構築されている。このデマンド制御システムでは、使用される総電力量が監視され、その総電力量が所定の閾値を超えない様に、ＬＥＤ照明システムや空調システムなどに含まれる負荷の電力消費量が制御される。以下では、主にＬＥＤ照明システムに対してデマンド制御を実行する場合について説明する。
【００８５】
［４−１］デマンド制御システム
図１９は、ＬＥＤ照明システムを含むデマンド制御システムの構成を概念的に示したブロック図である。図１９に示す様に、デマンド制御システムは、電力線７０に接続された電力計測器７１と、デマンド制御装置７２と、接点コンバータ７３とを含んでいる。図１９では図示されていないが、電力線７０には、ＬＥＤ照明システムに含まれるＬＥＤ照明装置２やセンサ４などが接続されている。尚、電力線７０には、空調システムに含まれる空調機など、他の負荷が接続されていてもよい。
【００８６】
電力計測器７１は、使用される総電力量を計測する。電力計測器７１は、デマンド制御装置７２に接続されており、デマンド制御装置７２は、電力計測器７１による計測結果（総電力量）に基づいて、デマンド制御を実行するか否かを判断する。具体的には、デマンド制御装置７２は、計測された総電力量が、予め設定されている所定の閾値を超えたか否かを判定する。総電力量が所定の閾値を超えていると判定された場合、デマンド制御装置７２は、デマンド制御を実行するためのデマンド制御信号を出力する。本実施形態において、デマンド制御信号は、リレー接点等の実接点を用いて出力される接点信号、又はトランジスタ等を用いて出力される無接点信号である。一方、総電力量が所定の閾値を超えていないと判定された場合、デマンド制御装置７２は、デマンド制御信号を出力せずに待機する。
【００８７】
デマンド制御装置７２は、接点コンバータ７３を介して、ＬＥＤ照明システムを構成するネットワーク３に接続されている。図１９には、特に、ハブ（ＨＵＢ）にデマンド制御装置７２が接続された形態が示されている。デマンド制御装置７２から出力されたデマンド制御信号は、接点コンバータ７３に入力される。接点コンバータ７３は、入力されたデマンド制御信号を、デジタル信号に変換する。このデジタル信号は、ハブ（ＨＵＢ）を介してネットワーク３内のゲートウェイＧＷに送信される。或いは、デジタル信号は、ネットワーク３を通じてＬＥＤ照明装置２に送信される。
【００８８】
ゲートウェイＧＷの各々が持つ制御器、又はＬＥＤ照明装置２の各々が持つ第２制御部２３には、これらがデジタル信号を受信したときにＬＥＤ照明装置２のＬＥＤ２４に対して実行する照明制御に関する情報が予め設定されている。具体的には、このときの照明制御に関する情報として、ＬＥＤ照明装置２での電力消費量を低下させることを目的としたものが採用される。照明制御の一例として、ＬＥＤ照明装置２の全ての照度を、一様に、予め設定された所定の照度まで低下させる制御が挙げられる。照明制御の他の例として、ＬＥＤ照明装置２の照度を、領域ごとに、予め設定された所定の照度まで低下させる制御が挙げられる。
【００８９】
上記デマンド制御システムによれば、ＬＥＤ照明システムに対してデマンド制御を実行することにより、電力の過剰な消費を抑制することが出来る。ここで、重要な点は、本実施形態のＬＥＤ照明システムが、複数のＬＥＤ照明装置２を個別に制御すると共にそれらの制御を一括して管理することが出来るものであり、この様なＬＥＤ照明システムに対してデマンド制御が実行されるという点である。即ち、デマンド制御時に実行されるＬＥＤ照明装置２の制御（照明制御）を、照明制御装置１やＰＣなどでの一括管理下で個別に設定することが出来るが故に、デマンド制御時にＬＥＤ照明システムへ送信するデマンド制御信号には照明制御に関する情報を含ませる必要がなく、従ってデマンド制御信号として、接点信号又は無接点信号を用いることが可能となっている。よって、デマンド制御システムの構築が容易である。
【００９０】
［４−２］デマンド制御システムに関する変形例
図２０は、デマンド制御システムの第１変形例について、そのデマンド制御システムの構成を概念的に示したブロック図である。図２０に示す様に、ネットワーク３を構成する複数のゲートウェイＧＷのうちの何れか１つが、接点コンバータ７３と一体に構成されていてもよい。これにより、デマンド制御システムの構築が簡略化される。
【００９１】
図２１は、デマンド制御システムの第２変形例について、そのデマンド制御システムの構成を概念的に示したブロック図である。図２１に示す様に、デマンド制御システムにおいて、ＰＷＭ（Pulse Width Modulation）コンバータ７４が、接点コンバータ７３に代えて設けられていてもよい。この場合、デマンド制御は、以下の様に実行される。
【００９２】
デマンド制御装置７２は、電力計測器７１の計測結果（総電力量）に基づいてデマンド制御を実行すると判定したとき、デマンド制御を実行するためのデマンド制御信号として、ＰＷＭ信号を出力する。デマンド制御装置７２から出力されたデマンド制御信号は、ＰＷＭコンバータ７４に入力される。ＰＷＭコンバータ７４は、入力されたデマンド制御信号を、デジタル信号に変換する。このデジタル信号は、ハブ（ＨＵＢ）を介してネットワーク３内のゲートウェイＧＷに送信される。或いは、デジタル信号は、ネットワーク３を通じてＬＥＤ照明装置２に送信される。そして、ＬＥＤ照明装置２の第２制御部２３は、ＰＷＭコンバータ７４から出力されるデジタル信号（制御信号）、又はこのデジタル信号に応じてゲートウェイＧＷの制御器から出力される制御信号に基づいて、ＬＥＤ２４の照明制御（点灯、消灯、調光等）を行う。この場合、デマンド制御時の照明制御に関する情報は、デマンド制御装置７２側で設定されることになる。尚、デマンド制御システムには、接点コンバータ７３及びＰＷＭコンバータ７４の何れか一方が設けられた構成に限らず、それらの両方が設けられた構成が採用されてもよい。
【００９３】
図２２は、デマンド制御システムの第３変形例について、そのデマンド制御システムの構成を概念的に示したブロック図である。図２２に示す様に、ネットワーク３を構成する複数のゲートウェイＧＷのうちの何れか１つが、ＰＷＭコンバータ７４と一体に構成されていてもよい。これにより、デマンド制御システムの構築が簡略化される。
【００９４】
尚、本発明の各部構成は上記実施形態に限らず、請求の範囲に記載の技術的範囲内で種々の変形が可能である。例えば、上記ＬＥＤ照明システムの各部構成は、ＬＥＤ照明装置に限定されてない様々な照明装置を備えた照明システムに適用することが出来る。
【００９５】
現時点での本発明の好ましい実施態様に関して説明したが、そのような開示を限定的に解釈してはならない。種々の変形および改変は、本発明に属する技術分野における当業者により、上記の開示から間違いなく明らかになるであろう。したがって、添付の請求の範囲は、本発明の真の精神および範囲から逸脱することなく、すべての変形及び改変を包含する、と解釈されるべきものである。
【符号の説明】
【００９６】
１  照明制御装置
１１  第１送信部
１２  第１受信部
１３  第１制御部
１４  表示部
１５  入力部
１６  記憶部
１７  読込み部
１８  タッチパネル
２  ＬＥＤ照明装置
２１  第２送信部
２２  第２受信部
２３  第２制御部
２４  ＬＥＤ
３  ネットワーク
４  センサ
５  発光部
６  ＰＣモニタ
７０  電力線
７１  電力計測器
７２  デマンド制御装置
７３  接点コンバータ
７４  ＰＷＭコンバータ
ＧＷ  ゲートウェイ
ＩＬＥＤ  第１識別情報
ＩＧＷ  第２識別情報
Ｐ  配灯画像
ＰＡＲＥＡ（１）〜ＰＡＲＥＡ（４）  エリア画像
ＰＳＭＢＬ  象徴画像
Ｂ１〜Ｂ７、Ｂ１１〜Ｂ１４  ボタン
ＥＧ１〜ＥＧ１０  ボタン
Ｒ  領域
Ｓ１  第１スイッチ
Ｓ２  第２スイッチ
【図１】
2020167177.tif 000003
【図２】
2020167177.tif 000004
【図３】
2020167177.tif 000005
【図４】
2020167177.tif 000006
【図５】
2020167177.tif 000007
【図６】
2020167177.tif 000008
【図７】
2020167177.tif 000009
【図８】
2020167177.tif 000010
【図９】
2020167177.tif 000011
【図１０】
2020167177.tif 000012
【図１１】
2020167177.tif 000013
【図１２】
2020167177.tif 000014
【図１３】
2020167177.tif 000015
【図１４】
2020167177.tif 000016
【図１５】
2020167177.tif 000017
【図１６】
2020167177.tif 000018
【図１７】
2020167177.tif 000019
【図１８】
2020167177.tif 000020
【図１９】
2020167177.tif 000021
【図２０】
2020167177.tif 000022
【図２１】
2020167177.tif 000023
【図２２】
2020167177.tif 000024